【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
印刷装置で印刷すべき印刷データの生成と、独立して通信可能な印刷後処理装置で印刷後処理すべき後処理設定情報の生成とを行う情報処理装置であって、
前記印刷後処理装置の能力を表す能力情報を読み込む読込手段と、
前記読込手段により読み込まれた能力情報に基づいて、印刷装置で処理可能な印刷機能と前記印刷後処理装置で印刷後処理可能な後処理機能と識別する識別手段と、
前記識別手段により識別された印刷機能と後処理機能とを設定すべき設定画面を表示させる表示制御手段と、
前記表示制御手段により表示された設定画面を介して設定された印刷機能に基づいて、前記印刷装置で印刷すべき印刷データを生成する印刷データ生成手段と、
前記表示制御手段により表示された設定画面を介して設定された後処理機能に基づいて、前記印刷後処理装置で印刷後処理すべき後処理設定情報を生成する後処理設定情報生成手段とを備え、
前記印刷データ生成手段により生成された印刷データは前記印刷装置に送信され、前記後処理設定情報生成手段により生成された後処理設定情報は前記印刷後処理装置に送信されることを特徴とする情報処理装置。
【請求項２】
印刷装置および印刷後処理装置に通信で接続された情報処理装置であって、
印刷設定情報に基づいて印刷情報を生成する印刷情報生成手段と、
前記印刷後処理装置の機能を記述した能力情報と前記印刷設定情報とに基づいて、前記印刷後処理装置の後処理内容と前記印刷後処理装置の識別情報とが記述された後処理設定情報を生成する後処理設定情報生成手段と、
前記印刷情報生成手段により生成された印刷情報と、前記後処理情報生成手段により生成された後処理情報を合わせて前記印刷装置に対して送信する送信手段と
を備えることを特徴とする情報処理装置。
【請求項３】
印刷装置で印刷すべき印刷データの生成と、独立して通信可能な印刷後処理装置で印刷後処理すべき後処理設定情報の生成とをコンピュータに行わせるためのプログラムであって、
前記印刷後処理装置の能力を表す能力情報を読み込む読込手段と、
前記読込手段により読み込まれた能力情報に基づいて、印刷装置で処理可能な印刷機能と前記印刷後処理装置で印刷後処理可能な後処理機能と識別する識別手段と、
前記識別手段により識別された印刷機能と後処理機能とを設定すべき設定画面を表示させる表示制御手段と、
前記表示制御手段により表示された設定画面を介して設定された印刷機能に基づいて、前記印刷装置で印刷すべき印刷データを生成する印刷データ生成手段と、
前記表示制御手段により表示された設定画面を介して設定された後処理機能に基づいて、前記印刷後処理装置で印刷後処理すべき後処理設定情報を生成する後処理設定情報生成手段としてコンピュータを機能させ、
前記印刷データ生成手段により生成された印刷データは前記印刷装置に送信され、前記後処理設定情報生成手段により生成された後処理設定情報は前記印刷後処理装置に送信されることを特徴とするプログラム。
【請求項４】
印刷装置および印刷後処理装置に通信部で接続されたコンピュータにより実行されるプログラムであって、
印刷設定情報に基づいて印刷情報を生成する印刷情報生成手段と、
前記印刷後処理装置の機能を記述した能力情報と前記印刷設定情報とに基づいて、前記印刷後処理装置の後処理内容と前記印刷後処理装置の識別情報とが記述された後処理設定情報を生成する後処理設定情報生成手段と、
前記印刷情報生成手段により生成された印刷情報と、前記後処理情報生成手段により生成された後処理情報を合わせて前記印刷装置に対して送信する送信手段と
してコンピュータを機能させることを特徴とするプログラム。
【請求項５】
前記後処理設定情報は、前記後処理装置からの要求に応じて、前記後処理装置に対して送信されることを特徴とする請求項４に記載のプログラム。
【請求項６】
前記印刷後処理装置が前記印刷装置と一体に接続されている場合には、前記後処理設定情報は、前記印刷装置に対して送信されることを特徴とする請求項４に記載のプログラム。
【請求項７】
操作者による印刷後処理設定を行わせるための設定画面を表示する表示制御手段としてコンピュータを更に機能させることを特徴とする請求項５乃至６のいずれか１項に記載のプログラム。
【請求項８】
前記後処理設定情報生成手段は、前記設定画面において入力された選択された印刷後処理装置に対して送信する後処理設定情報を生成することを特徴とする請求項３または７に記載のプログラム。
【請求項９】
前記後処理設定情報生成手段は、前記印刷後処理装置毎の能力情報を参照して、前記設定画面において入力された印刷後処理の設定に応じた機能及び性能を有する印刷後処理装置を選択し、選択された印刷後処理に対して送信する後処理設定情報を生成することを特徴とする請求項３または７に記載のプログラム。
【請求項１０】
前記印刷装置にインラインに接続されたインライン後処理装置がある場合、前記後処理設定情報生成手段は、前記インライン後処理装置を優先的に選択して、選択されたインライン後処理に対して送信する後処理設定情報を生成することを特徴とする請求項３乃至７のいずれか１項に記載のプログラム。
【請求項１１】
前記後処理設定情報生成手段は、前記印刷後処理装置毎にあらかじめ付与された優先順位情報を参照して、最も高優先順位の印刷後処理装置を選択し、選択された印刷後処理に対して送信する後処理設定情報を生成することを特徴とする請求項３乃至７のいずれか１項に記載のプログラム。
【請求項１２】
印刷装置で印刷すべき印刷データの生成と、独立して通信可能な印刷後処理装置で印刷後処理すべき後処理設定情報の生成とを行う情報処理装置の制御方法であって、
前記印刷後処理装置の能力を表す能力情報を読み込む読込工程と、
前記読込工程により読み込まれた能力情報に基づいて、印刷装置で処理可能な印刷機能と前記印刷後処理装置で印刷後処理可能な後処理機能と識別する識別工程と、
前記識別工程により識別された印刷機能と後処理機能とを設定すべき設定画面を表示させる表示制御工程と、
前記表示制御工程により表示された設定画面を介して設定された印刷機能に基づいて、前記印刷装置で印刷すべき印刷データを生成する印刷データ生成工程と、
前記表示制御工程により表示された設定画面を介して設定された後処理機能に基づいて、前記印刷後処理装置で印刷後処理すべき後処理設定情報を生成する後処理設定情報生成工程とを備え、
前記印刷データ生成工程により生成された印刷データは前記印刷装置に送信され、前記後処理設定情報生成工程により生成された後処理設定情報は前記印刷後処理装置に送信されることを特徴とする方法。
【請求項１３】
印刷装置および印刷後処理装置に通信部で接続された情報処理装置の制御方法であって、
印刷設定情報に基づいて印刷情報を生成する印刷情報生成工程と、
前記印刷後処理装置の機能を記述した能力情報と前記印刷設定情報とに基づいて、前記印刷後処理装置の後処理内容と前記印刷後処理装置の識別情報とが記述された後処理設定情報を生成する後処理設定情報生成工程と、
前記印刷情報生成工程により生成された印刷情報と、前記後処理情報生成工程により生成された後処理情報を合わせて前記印刷装置に対して送信する送信工程と
を備えることを特徴とする方法。
【請求項１４】
印刷装置と、
印刷後処理装置と
請求項１または２に記載の情報処理装置と
を備えることを特徴とする印刷システム。
【請求項１５】
ネットワークに接続された印刷装置であって、
印刷後処理装置に設定される後処理設定情報を受信する受信手段と、
前記後処理設定情報から、前記ネットワークを介して接続された印刷後処理装置に設定されるべき情報を抽出して当該印刷後処理装置に転送する転送手段と
を備えることを特徴とする印刷装置。
【請求項１６】
前記後処理設定情報のうち、前記印刷装置にインライン接続されたインライン後処理装置に設定されるべき情報を該インライン後処理装置に設定し、印刷後処理を行わせる後処理手段をさらに備えることを特徴とする請求項１５に記載の印刷装置。
【請求項１７】
ネットワークに接続された印刷装置の制御方法であって、
印刷後処理装置に設定される後処理設定情報を受信する受信工程と、
前記後処理設定情報から、前記ネットワークを介して接続された印刷後処理装置に設定されるべき情報を抽出して当該印刷後処理装置に転送する転送工程と
を備えることを特徴とする印刷装置の制御方法。
【手続補正２】
【補正対象書類名】明細書
【補正対象項目名】００１６
【補正方法】変更
【補正の内容】
【００１６】
印刷装置で印刷すべき印刷データの生成と、独立して通信可能な印刷後処理装置で印刷後処理すべき後処理設定情報の生成とを行う情報処理装置であって、
前記印刷後処理装置の能力を表す能力情報を読み込む読込手段と、
前記読込手段により読み込まれた能力情報に基づいて、印刷装置で処理可能な印刷機能と前記印刷後処理装置で印刷後処理可能な後処理機能と識別する識別手段と、
前記識別手段により識別された印刷機能と後処理機能とを設定すべき設定画面を表示させる表示制御手段と、
前記表示制御手段により表示された設定画面を介して設定された印刷機能に基づいて、前記印刷装置で印刷すべき印刷データを生成する印刷データ生成手段と、
前記表示制御手段により表示された設定画面を介して設定された後処理機能に基づいて、前記印刷後処理装置で印刷後処理すべき後処理設定情報を生成する後処理設定情報生成手段とを備え、
前記印刷データ生成手段により生成された印刷データは前記印刷装置に送信され、前記後処理設定情報生成手段により生成された後処理設定情報は前記印刷後処理装置に送信されることを特徴とする。
【手続補正３】
【補正対象書類名】明細書
【補正対象項目名】００１７
【補正方法】変更
【補正の内容】
【００１７】
あるいは、印刷装置および印刷後処理装置に通信で接続された情報処理装置であって、
印刷設定情報に基づいて印刷情報を生成する印刷情報生成手段と、
前記印刷後処理装置の機能を記述した能力情報と前記印刷設定情報とに基づいて、前記印刷後処理装置の後処理内容と前記印刷後処理装置の識別情報とが記述された後処理設定情報を生成する後処理設定情報生成手段と、
前記印刷情報生成手段により生成された印刷情報と、前記後処理情報生成手段により生成された後処理情報を合わせて前記印刷装置に対して送信する送信手段とを備えることを特徴とする。